(57)【要約】【課題】記録媒体の予約情報に応じた予約録画を確実に行うことができる情報記録媒体を提供する。【解決手段】  情報を記録可能な記録媒体に記録再生を行う情報記録再生装置において、記録媒体にあらかじめ記録された記録予約情報を読み出す手段を有し、読み出した記録予約情報を情報記録再生装置に設定する際に、すでにユーザーによって設定されている記録予約情報があり、記録媒体にあらかじめ記録された記録予約情報と重なる部分がある場合には、重複した部分については記録媒体にあらかじめ記録された記録予約情報を優先する機能をもつ情報記録再生装置。【選択図】図１
2005018982.tif 000002
【特許請求の範囲】
【請求項１】
情報を記録可能な記録媒体に記録再生を行う情報記録再生装置において、
前記記録媒体にあらかじめ記録された記録予約情報を読み出す手段を有し、
読み出した記録予約情報を前記情報記録再生装置に設定する際に、すでにユーザーによって設定されている記録予約情報があり、前記記録媒体にあらかじめ記録された記録予約情報と重なる部分がある場合には、重複した部分については前記記録媒体にあらかじめ記録された記録予約情報を優先する手段を有することを特徴とする情報記録再生装置。
【請求項２】
情報を記録可能な記録媒体に記録再生を行う情報記録再生装置において、
前記記録媒体にあらかじめ記録された記録予約情報を読み出す手段を有し、
読み出した記録予約情報を前記情報記録再生装置に設定する際に、すでにユーザーによって設定されている記録予約情報があり、前記記録媒体にあらかじめ記録された記録予約情報と重なる部分がある場合には、重複した部分についてはユーザーにより新たに設定された記録予約情報を優先する手段を有することを特徴とする情報記録再生装置。
【発明の詳細な説明】
【技術分野】
【０００１】
この発明は、記録予約情報を記録再生できる記録媒体を扱う情報記録再生装置に関するものである。
【背景技術】
【０００２】
近年、映像や音声等のデータを記録した光ディスクを再生する動画対応の光ディスク再生装置が開発され、例えばＬＤや、ビデオＣＤなどの様に、映画ソフトやカラオケ等の目的で一般に普及されている。
【０００３】
その中で、現在、国際規格化したＭＰＥＧ２（Moving  Image  Coding  Expert  Group）方式を使用し、ＡＣ３オーディオ圧縮方式を採用したＤＶＤ−Ｖｉｄｅｏ規格が提案された。
【０００４】
この規格では、ＭＰＥＧ２システムレイヤに従って、動画圧縮方式に、ＭＰＥＧ２、音声にＡＣ３オーディオ、ＭＰＥＧオーディオ、リニアＰＣＭをサポートし、さらに、字幕用としてビットマップデータをランレングス圧縮した副映像データを追加するとともに、早送り巻き戻しなどの特殊再生用コントロールデータ（ナビパック）を追加して構成されている。
【０００５】
また、この規格では、コンピュータでデータを読むことが出来るように、ＩＳＯ９６６０とマイクロＵＤＦをサポートしている。
【０００６】
その後、ＤＶＤ−ＲＡＭが発表され、２．６Ｇバイト、４．７Ｇバイトの容量を持つ書き換え可能なディスクが実現されてきた。
【０００７】
上記技術発展により、ディスクに映像信号を録画し再生することが現実となってきた。
【０００８】
一方、現在一般的には映像及び音声信号を記録する手段としてＶＴＲが普及しており、録画情報量に対するランニングコストは非常にコストパフォーマンスが良い。
【０００９】
これに対して、ＤＶＤ−ＲＡＭに代表される記録媒体としてのディスクには、ビデオデータの他にもコンピュータのデータや、ディスク管理情報も記録可能であることが要求されている。
【００１０】
ＶＴＲに対するディスクの優位性を用いることで、今まで不可能であった新しい機能が実現できることが期待される。
【発明の開示】
【発明が解決しようとする課題】
【００１１】
新しい機能のひとつに番組の予約録画がある。予約録画を実現するためには、前もって録画予約を行う必要がある。録画予約を簡単に行うためにＧコード方式等いろいろな工夫がされてきたが、それでも録画予約のための設定はかなり面倒である。また、ある番組だけを１枚のディスクに順次記録しコレクションを作ろうとした場合、どのディスクに記録したかを管理し、録画予約を毎回繰り返し行わなければならず、効率的とは言えない。
【００１２】
そこでこの発明は、記録媒体自体に記録の予約（記録予約）情報、つまり録画予約情報を記録したり、あるいは予め記録しておくことにより、自動的に記録再生装置が立ち上がり予約記録、つまり予約録画を得られる記録媒体を提供することを目的とする。
【００１３】
またこの発明は、記録媒体をアクセスし、予約情報の記録や再生を行う記録再生装置を提供することを目的とする。
【００１４】
また記録媒体をアクセスして予約情報が記録されている場合、この予約情報に基づいて予約録画などを行うことができる情報記録再生装置を提供することを目的とする。
【課題を解決するための手段】
【００１５】
本発明は上記課題を解決するべく、情報を記録可能な記録媒体に記録再生を行う情報記録再生装置において、前記記録媒体にあらかじめ記録された記録予約情報を読み出す手段を有し、読み出した記録予約情報を前記情報記録再生装置に設定する際に、すでにユーザーによって設定されている記録予約情報があり、前記記録媒体にあらかじめ記録された記録予約情報と重なる部分がある場合には、重複した部分については前記記録媒体にあらかじめ記録された記録予約情報を優先する手段を有することを特徴とする情報記録再生装置を提供する。
【発明の効果】
【００１６】
上記した情報記録再生装置によれば、記録媒体と情報記録再生装置とで予約情報が重複した場合は、記録媒体の方の予約情報を優先することにより、記録媒体の予約情報に応じた予約録画を確実に行うことが可能となる。
【発明を実施するための最良の形態】
【００１７】
以下、この発明の実施の形態を図面を参照して説明する。
【００１８】
図１は、本実施の形態に係る記録再生装置の全体的な構成を示している。この記録再生装置は、大きく分けると、記録媒体であるディスク１００に対して次のような装置が作用する。まずメインマイクロプロセッサ部（以降メインＭＰＵ部と称する）１０１は、記録再生装置全体を統合管理する部分である。
【００１９】
ディスクドライブ部１０２はメインＭＰＵ部１０１からの指令で、ディスク１００の回転制御、ディスクのデータの読み出し、ディスクへのデータの書き込み機能を含む。ディスクの回転制御は、ディスクモータのサーボ装置を通して行われる。ディスクへのデータの書き込みやディスクからのデータの読み出しは、レーザビームを扱う光学手段を用いたピックアップ装置を通して実現される。
【００２０】
データ処理部１０３は、記録動作時には、エンコード部１０４からの記録データをディスクに記録するため、１６セクタ分を単位とするデータにエラー訂正コードを付加し、また変調を行って記録信号を生成し、ディスクドライブ部１０２に与えている。データ処理部１０３には、一時記憶部１０５が接続されており、高速アクセスで数分以上の分の記録データを一時的に保持するために用いられる。
【００２１】
データ処理部１０３は、再生動作時には、再生信号をディスクドライブ部１０２から受け取り、復調を行い、エラー訂正処理を行い、復調信号をデコーダ部１０６に送る。
【００２２】
エンコード部１０４には、外部入力が与えられる。オーディオビデオ（ＡＶ）入力部１０７からはオーディオ信号及びビデオ信号を与えることができ、またチューナ部１０８からもオーディオ信号及びビデオ信号を与えることができる。またチューナ部１０８からは、垂直ブランキング期間の情報として文字情報やクローズドキャプションデータが存在する場合があるので、これらのデータもエンコード部１０４に入力することができる。
【００２３】
オーディオ信号及びビデオ信号は、エンコード部１０４内のアナログデジタル（Ａ／Ｄ）変換部２０１に与えられる。ここでデジタル化されたビデオ信号は、ビデオエンコード部２０２に入力され、オーディオ信号は、オーディオエンコード部２０３に入力される。また文字情報やクローズドキャプションデータは、副映像（ＳＰ）エンコード部２０４に入力される。エンコードされたビデオデータ、オーディオデータ、副映像データは、フォーマッタ部２０５に入力されて、記録のためのパケット化、及びパック化される。この時一時保持のためにバッファメモリ２０６が活用される。
【００２４】
上記のエンコード部２０２，２０３，２０４は、当該ファイル全体の時間の基準となるシステムタイムクロックを参照し、その値にしたがって各パケットのプレゼンテーションタイムスタンプ（ＰＴＳ）及びデコーデッドタイムスタンプ（ＤＴＳ）を決定する。システムタイムクロックは、システムタイムクロック（ＳＴＣ）部１０９より発生されている。フォーマッタ部２０５は、さらに再生時に必要な情報をつけ加えるために、ビデオの所定単位（ＧＯＰ）毎（例えば再生時間が０．５乃至１．０秒程度）にパックのアライメント処理を行い、ＧＯＰの先頭にナビゲーションパック（ＮＶパック）（管理情報として利用できる）を付け加えてもよい。データ処理部１０３は、データ記録の最後に、ＮＶパック内のデータの早送り、逆送り用のデータ領域部に、各前後のＮＶパックのアドレスを記録し、また管理領域に必要なその他の管理情報を記録する。
【００２５】
デコード部１０６は、データ処理部１０３からの再生データであるパック列を受け取る。このパック列は分離部３０１に与えられる。分離部３０１は、各パックを判定し、ビデオパケットはビデオデコード部３０２ヘ、副映像パケットは副映像（ＳＰ）デコード部３０３ヘ、オーディオパケットはオーディオデコード部３０４へそれぞれ転送する。
【００２６】
また、ＮＶパックは、いつでもメインＭＰＵ部１０１がアクセスできるように分離部３０１の内部メモリ３０６に次々と保存される。
【００２７】
分離部３０１から各パケットがそれぞれ対応するデコーダ部へ転送されるときは、指定されている特定のタイミングでＰＴＳまたはＤＴＳがシステムタイムクロック部１０９に送られロードされ、装置全体の基準時刻を設定する。例えばメインＭＰＵ１０１が、ＮＶパック内のＰＴＳをシステムタイムクロック部１０９にロードするか、またはビデオデコーダ部３０２が自動的にビデオデータのＤＴＳもしくはＰＴＳをシステムクロック部１０９にセットする。
【００２８】
このセットの後は、各デコード部ではパケット内のＰＴＳとシステムクロックとを比較し同期状態を保ちながらデコード及び再生処理を行う。
【００２９】
ビデオデコード部３０２で復号されたビデオデータ及び副映像デコード部３０３で復号された副映像データは、ビデオ処理部３０５へ入力されて合成される。
【００３０】
ビデオ処理部３０５の出力、オーディオデコーダ処理部３０４の出力は、それぞれデジタルアナログ（Ｄ／Ａ）変換部３０６、３０７で変換されて、ディスプレイ部３０８及びオーディオ出力部３０９へ供給される。
【００３１】
メインＭＰＵ部１０１には時計部１１１、表示部１１２が接続されている。メインＭＰＵ部１０１は、時計部１１１からの年月日、時間情報を受け取り、録画予約などの情報として用いることができる。また、時計情報を表示部１１２に供給して表示したり、さらに録画予約情報を表示部１１２に表示することができる。録画予約情報は、メインＭＰＵ部１０１からデコーダ部１０６を介してディスプレイ部３０８に入力されて表示されてもよい。
【００３２】
メインＭＰＵ部１０１は、装置全体の統合管理を行うとともに、録画再生制御を行う。更に、本発明の特徴とする予約情報の制御を行う。予約情報の記録方法、利用方法については後述することにする。
【００３３】
図２には、この発明に係る光ディスクの概要を示している。
【００３４】
図２（Ａ）には映像情報や音楽情報の録再可能な情報記憶媒体，つまり光ディスク１００の概観を示している。この光ディスク１００に記録される情報の概略的な記録情報内容（データー構造）は次の通りである。
【００３５】
図２（Ｂ）に示すように内周側１００６から外周側１００７に向かって順にリードインエリア（Lead-in Area）１００２、ボリウム  アンド  ファイル管理情報（Volume & File Manager Information）エリア１００３、データエリア（Data Area）１００４、リードアウトエリア（Lead-out Area）１００５が設けられている。
【００３６】
リードインエリア１００２は、光反射面が凹凸形状をしたエンボスドデータゾーン（Embossed data Zone）と、表面が平坦（鏡面）なミラーゾーン（Mirror Zone）と、情報の書き換えが可能なリライタブルデータゾーン（Rewritable data Zone）を有する。
【００３７】
ボリウム  アンド  ファイル管理情報エリア１００３の情報は、ユーザーによる記録・書き換えが可能なリライタブルデータゾーン（Rewritable data Zone）に記録されるものであって、その内容としてはオーディオ  アンド  ビデオデータ（Audio & Video Data）のファイルまたはボリューム全体に関する情報が記録される。
【００３８】
データエリア１００４は、ユーザーによる記録・書き換えが可能なリタイタブルデータゾーンからなる。また、リードアウトエリア１００５も情報の書き換えが可能なリライタブルデータゾーンである。
【００３９】
さらに各部の記録情報の内容について説明すると以下の通りである。
【００４０】
リードインエリア１００２のエンボスドデータゾーンには、
＊ＤＶＤ−ＲＯＭ、ＤＶＤ−ＲＡＭ，ＤＶＤ−Ｒなどのディスクタイプ、ディスクサイズ、記録密度、記録開始／記録終了位置を示す物理セクター番号などの情報記憶媒体全体に関する情報
＊記録パワーと記録パルス幅、消去パワー、再生パワー、記録・消去時の線速などの記録・再生・消去特性に関する情報
＊製造番号などそれぞれ１枚ずつの情報記憶媒体の製造に関する情報
が事前に記録される。
【００４１】
リードインエリア１００２のリライタブルデータゾーンとリードアウトエリア１００５のリライタブルデータゾーンとには、それぞれ
＊各情報記憶媒体ごとの固有ディスク名記録領域
＊試し記録領域（記録消去条件の確認用）
＊データエリア１００４内の欠陥領域に関する管理情報記録領域
を持ち、上記領域へ情報記録再生装置による記録が可能になっている。
【００４２】
リードインエリア１００２とリードアウトエリア１００５の間に挟まれたデータエリア１００４には、図２（Ｃ）に示すようにコンピュータデータ（Computer Data）とオーディオ  アンド  ビデオデータ（Audio & Video Data）の混在記録が可能になっている。コンピュータデータとオーディオ  アンド  ビデオデータの記録順序、各記録情報サイズは任意で、コンピュータデータが記録されている場所をコンピュータデータ（ファイル１００８、１０１０）と呼びオーディオ  アンド  ビデオデータが記録されたエリアをオーディオアンドビデオデータファイル１００９と言うことにする。
【００４３】
オーディオビデオデータファイル１００９内に記録された情報のデータ構造は、図２（Ｄ）に示すように、
＊コントロール情報（Control Information）…録画（録音）、再生、編集、検索の各処理を行う時に必要な制御情報（ファイル１０１１）
＊ビデオオブジェクト（Video Object）…ビデオデータの中身（Contents）の録画情報（ファイル１０１２）
＊ピクチャーオブジェクト（Picture Object）…スチル（Still）、スライド（Slide）などの静止画やビデオデータ（Video Data）内の見たい場所、検索用または編集用サムネール画（Thumbnail Picture）などの情報（ファイル１０１３）
＊オーディオオブジェクト（Audio Object）…オーディオデータの中身（Contents）の録音情報（ファイル１０１４）
などから構成される。
【００４４】
さらに、コントロール情報（Control Information）の内容は、図２（Ｅ）に示すように
＊再生制御情報（Playback Control Information）…再生時に必要な制御情報（ファイル１０２１）
＊記録制御情報（Recording Control Information）…記録（録画・録音）時に必要な制御情報（ファイル１０２２）
＊編集制御情報（Edit Control Information）…編集時に必要な制御情報（ファイル１０２３）
＊サムネール画制御情報（Thumbnail Picture Control Information）…ビデオデータ内の見たい場所検索用または編集用サムネール画（Thumbnail Picture）に関する管理情報（ファイル１０２４）
などを有している。
【００４５】
図３には、上記図２（Ｅ）の再生制御情報内のデータ構造を更に示している。再生制御情報（Playback Control Information）は、プログラムチェーン情報テーブル（Program Chain(PGC) Information Table）１０５１に示されるデータ構造を持ち、プログラムチェーン（PGC）とセル（Cell）によって再生順序が決定される。プログラムチェーン（PGC）は、セル（Cell）の再生順序を指定した一連の再生を実行する単位を示す。セル（Cell）は、再生データを開始アドレスと終了アドレスで指定した再生区間を示す。
【００４６】
プログラムチェーン情報テーブル１０５１は、プログラムチェーン情報管理情報（PGC Information Management Information）１０５２、1つ以上のプログラムチェーンサーチポインタ（Search Pointer of PGC Information）１０５３、１０５４及びプログラムチェーン情報（PGC Information）１０５５、１０５６、１０５７から構成される。
【００４７】
プログラムチェーン情報管理情報１０５２には、プログラムチェーン（PGC）の数を示す情報(Number of PGC Information)が含まれる。またプログラムチェーン情報のサーチポインタ（Search Pointer of PGC Information）１０５３，１０５４は、各プログラムチェーン情報（PGC Information）の記述されている先頭をポイントしており、ピックアップ手段とその制御手段による目的のプログラムチェーンのサーチを容易にする。
【００４８】
プログラムチェーン情報１０５５，１０５６，１０５７は、プログラムチェーンの一般情報（PGC General Information）１０６１及び１つ以上のセル再生情報（Cell Playback Information）１０６２、１０６３から成る。プログラムチェーン一般情報１０６１には、このプログラムチェーンの再生時間やセルの数を示す情報が(Number of Cell Playback Information)が含まれる。
【００４９】
図４にはセル再生情報１０６２，１０６３の内容を示している。セル再生情報は、セル一般情報（Cell General Information）１０７１、セル開始アドレス（Cell Start Address）１０７２及びセル終了アドレス（Cell End Address）１０７３からなる。セル一般情報１０７１は、セルの再生時間等の一般情報を含む。セル開始アドレス１０７２及びセル終了アドレス１０７３は、セル（Cell）として再生されるデータの区間の開始アドレス及び終了アドレスが記述される。
【００５０】
図５（Ａ）はセルの記録状態の例を示し、図５（Ｂ），（Ｃ），（Ｄ）はプログラムチェーン情報＃１、＃２、＃３の例を示している。
【００５１】
図５（Ａ）は、セルＡからセルＦまでの再生区間が指定され、各プログラムチェーン（PGC）においてプログラムチェーン情報が定義されている。
【００５２】
図５（Ｂ）のプログラムチェーン＃１は、連続する再生区間を指定したセルで構成される例を示し、その再生順序はセルＡ→セルＢ→セルＣとなる。
【００５３】
図５（Ｃ）のプログラムチェーン＃２は、断続された再生区間を指定したセルで構成される例を示し、その再生順序はセルＤ→セルＥ→セルＦとなる。
【００５４】
図５（Ｄ）のプログラムチェーン＃３は、再生方向や重複再生に関わらず飛び飛びに再生可能である例を示し、その再生順序はセルＥ→セルＡ→セルＤ→セルＢ→セルＥとなる。
【００５５】
次に、上記の記録制御情報１０２２（図２（Ｅ）参照）の詳細について説明する。本発明の記録媒体及び装置は、記録予約が可能であり、そのための制御及び管理情報のファイル領域が設けられここに各種情報が記述されている。
【００５６】
図６には、上記の記録制御情報１０２２の内容を更に詳しく示している。
【００５７】
記録制御情報１０２２は、記録管理情報テーブル（REC  Management  Information  Table)２０１１と、記録情報（REC Information)２０１２，２０１３で構成される。記録情報は、録画予約を行うために必要な各種の情報であり、記録年月日、記録時間、週情報、チャンネル情報等である。
【００５８】
図７には、上記の記録管理情報テーブル２０１１の内容が更に詳しく示されている。記録管理情報テーブル２０１１には記録予約情報＃１〜＃ｎの数が例えば２バイトで記述される（２０２１）。また、記録管理情報テーブル２０１１には記録予約情報のサーチポインタを記述してもよい。さらにまたこの管理情報テーブルに、このディスクがある特定の番組を記録する専用のものであるのか汎用のものであるのかを識別した情報を記録してもよい。
【００５９】
図８は上記の記録予約情報の1つを取り出しての内容を詳しく示している。
【００６０】
記録予約情報としては、例えば（a）乃至（ｋ）の情報を記述するところが存在する。情報（ａ）…番組名の長さが１バイトで記述される。情報（ｂ）…番組名が記述される。情報（ｃ）…本記録（録画）予約情報を作成した日付が４バイトで記述される（データ形式は図９に示した）。情報（ｄ）…本録画予約情報の有効／無効フラッグと、ユーザ禁止／許可フラッグ、及び標準／長時間モードなどの録画モードを指定している（データ形式は図１０に示した）。情報（ｅ）…録画するチャンネル番号が指定される（データ形式は図１１に示した）。情報（ｆ）…録画曜日及び録画有効週が記述される。録画曜日が例えば月曜日で、有効期間が例えば５週間というふうに指定される（データ形式は図１２に示した）。情報（ｇ）…録画年月日が記述される（データ形式は図１３に示した）。西暦で記述される。この情報（ｇ）が記述された場合には、情報（ｆ）の指定よりも優先する。情報（ｈ）…録画開始時間が記述される。情報（ｉ）…録画終了時間が記述される（データ形式は図１４に示した）。情報（ｊ）…記録グループ番号が記述される。情報（ｋ）…記録プログラムチェーンＩＤが記録される。
【００６１】
図９には情報（ｃ）である記録予約情報作成年月日のデータ形式が示されている。第３１ビット目〜第２４ビット目までに西暦の千の位と百の位の数字が記入され、第２３ビット目〜第１６ビット目までに西暦の十の位と一の位の数字が記入され、第１５ビット目〜第８ビット目までに月の十の位と一の位の数字が記入され、第第７ビット目〜第０ビット目までに日の十の位と一の位の数字が記入される。
【００６２】
図１０には情報（ｄ）である記録モードのデータ形式が示されている。第１５ビット目にはこの記録予約情報が有効であるのか無効であるのかを示す情報が０ｂまたは１ｂで記述される。また第１４ビット目にはユーザによって本録画予約情報の使用を許可するのか禁止するのかの情報が０ｂまたは１bで記述される。さらに第７ビット目〜第０ビット目には、録画モードが記述され標準モードのときは０ｈ、長時間モードのときは１ｈが記述される。
【００６３】
図１１には情報（ｅ）であるチャンネル番号の情報が記述される。第１５ビット目〜第１２ビット目には、放送方式を区別する情報が記述されるものであり、０ｈは地上波放送、１ｈはＢＳ放送、２ｈはＣＳ放送を、その他予約（例えば外部入力等）を意味する。第１１ビット目から第０ビット目にはチャンネル番号が記述される。
【００６４】
図１２には情報（ｆ）である記録曜日の情報が記述される。第１５ビット目〜第１２ビット目には録画有効期間が週単位で記述される。１乃至１４週間と、無期限を指定できる。第１１ビット目〜第８ビット目には録画有効週が記述される。つまり録画するのは第１週目にであるのか第２週目であるのかというふうに指定される。第７ビット目にフラッグが記述された場合は、毎日を指定することになる。第６ビット目から第０ビット目には日曜、月曜、火曜、水曜、木曜、金曜、土曜を指定することができる。
【００６５】
図１３は情報（ｇ）である記録日付のデータ形式を示している。ここに日付を西暦で記入することにより録画日時を指定することができる。第３１ビット目〜第２４ビット目までに西暦の千の位と百の位の数字が記入され、第２３ビット目〜第１６ビット目までに西暦の十の位と一の位の数字が記入され、第１５ビット目〜第８ビット目までに月の十の位と一の位の数字が記入され、第第７ビット目〜第０ビット目までに日の十の位と一の位の数字が記入される。
【００６６】
図１４は情報（ｈ）、（ｉ）である開始時間、終了時間のデータ形式である。時の及び分が２桁で記述される。
【００６７】
図８に示したように、記録予約情報の中には、情報（ｊ）として記録グループ番号が存在し、情報（ｋ）として記録プログラムチェーンＩＤが存在する。
【００６８】
記録グループ番号は、ユーザが指定する録画番組のグループ番号を意味するもので、このグループ番号を指定することにより、例えば同じグループ番号の録画番組を録画日が異なっても同じシーケンスで連続して再生することができる。
【００６９】
記録プログラムチェーンＩＤは、本録画予約情報により録画される番組を、いずれのプログラムチェーンに所属させるかを決めるためのものである。
【００７０】
図１５（Ａ）には、すべての予約番組を１つのシーケンスとして連続して録画する場合の記録予約情報＃１、＃２、＃３の例を示している。記録予約情報としては全項目は示さず、一部の項目だけを示している。
【００７１】
図１５（Ｂ）は上記の記録予約情報に基づいて記録された記録内容の記録配列イメージを示している。再生順序のイメージとしても捕らえることができる。つまり、記録予約情報にはすべて同一のグループ番号と同一のプログラムチェーンＩＤが記述されているために、プログラムチェーンＩＤに対応するプログラムチェーンたとえば＃１が構築され、各週での記録予約番組が連続して記録されている。１Ｗ，２Ｗは１週目、２週目の意味である。
【００７２】
図１６（Ａ）には、各予約番組を別々のシーケンスにグループ分けして録画する場合の記録予約情報＃１、＃２、＃３の例を示している。記録予約情報としては全項目は示さず、一部の項目だけを示している。
【００７３】
図１６（Ｂ）、（Ｃ）、（Ｄ）は上記の記録予約情報に基づいて記録された記録内容の再生順序のイメージを示している。記録配列は録画を実行した順序、即ち、図１５（Ｂ）に示されるイメージとなる。つまり、記録予約情報＃１はグループ番号１を指定し、またプログラムチェーンＩＤとしては０００００００１ｈを指定しているので、図１６（Ｂ）に示すような順序で録画時にプログラムチェーンが設定され再生される。記録予約情報＃２はグループ番号２を指定し、またプログラムチェーンＩＤとしては０００００００２ｈを指定しているので、図１６（Ｃ）に示すような順序で録画時にプログラムチェーンが設定され再生される。記録予約情報＃３はグループ番号３を指定し、またプログラムチェーンＩＤとしては０００００００３ｈを指定しているので、図１６（Ｄ）に示すような順序で録画時にプログラムチェーンが設定され再生される。
【００７４】
なお予約録画が終了するとこの記録再生装置は、その予約情報に基いて記録した記録セルの再生順序をプログラムチェーンとして設定し、再生制御情報部に記録する（図２、図３参照）。
【００７５】
図１に戻り記録再生装置について説明する。
【００７６】
録画時のデータ処理は、以下の通りとなる。
【００７７】
メインＭＰＵ部１０１は、ファイルの管理領域などを読み書きするために、データ処理部１０３へマイコンバスを通して、データの読み書きをすることが出来る。まず、メインＭＰＵ部１０１が録画命令受けると、ディスクドライブ部１０２から管理データを読み込み、書き込む領域を決定する。次に、決定された領域にデータを書き込むように管理領域を再設定し、ビデオデータの書き込みスタートアドレスをディスクドライブ部１０２に設定し、データを記録する準備を行う。
【００７８】
次に、メインＭＰＵ部１０１はＳＴＣ部１０９に時間のリセットを行う。ＳＴＣ部１０９はシステムの基準時計でこの値を基準にして録画、再生が実行される。さらに、ＭＰＵ部はその他、本装置を動作させるための各設定を行う。
【００７９】
ビデオ信号の流れは、次のようになる。
【００８０】
まず、ＴＶチューナ部１０８またはＡＶ入力部１０７より入力されたＡＶ信号がアナログデジタル変換され、映像信号はビデオエンコード部２０１、オーディオ信号はオーディオエンコード部２０３、また、テレビチューナ部１０８からのクローズドキャプション信号、または文字放送等のテキスト信号は副映像（以下ＳＰと略す）エンコード部２０４へそれぞれ入力される。
【００８１】
各エンコード部２０２，２０３，２０４は、それぞれの信号を圧縮し、ＰＴＳ、ＤＴＳを設定してパケット化する。その後、パケットはフォーマッタ部２０５に入力される。
【００８２】
フォーマッタ部２０５はバッファメモリ２０６へビデオ、音声、ＳＰの各パケットデータを一時保存し、その後、入力された各パケットデータをシステムストリーム化（パック化）する。再生時に必要な情報を付け加えるため、ビデオのＧＯＰ毎にパックのアラインメントを行い、前記ＧＯＰの頭にＮＶパックを追加してもよい。パック化されたデータは、データ処理部１０３へ入力する。
【００８３】
データ処理部は１６パック毎にまとめてＥＣＣ（エラー訂正コード）ブロックとして、ＥＣＣをつけてディスクドライブ部１０２へ送る。ただし、ディスクドライブ部１０２がディスクへの記録準備が出来ていない場合には、一時記憶部１０５へ転送し、データを記録する準備が出来るまで待ち、用意が出来た段階で記録を開始する。ここで、一時記憶部１０５は高速アクセスで数分以上の記録データを保持するため、大容量メモリが好ましい。
【００８４】
また、録画終了時に、各ＮＶパック内の早送り、巻き戻し用のデータ部分に、各ＮＶパックのアドレスデータを記録して、管理領域に終了後に必要な情報を記録して録画動作を終了する。
【００８５】
次に、再生時のデータ処理は、以下の通りとなる。
【００８６】
まず、メインＭＰＵ部１０１は再生命令を受けると、ディスクドライブ部１０２よりデータ処理部１０３を通して、管理領域を読み込み、再生するアドレスを決定する。メインＭＰＵ部１０１は次にディスクドライブ部１０２に先ほど決定された再生すべきデータのアドレスとリード命令を送る。
【００８７】
ディスクドライブ部１０２は送られた命令に従って、ディスクよりデータを読み出し、データ処理部１０３でエラー訂正を行い、パック化されたデータの形にしてデコード部１０６へ出力する。
【００８８】
デコード部１０６の内部では、読み出したパック化データを分離部３０１が受け取り、パケット化し、データの目的に応じて、ビデオパケットデータ（ＭＰＥＧビデオデータ）はビデオデコード部３０２へ転送し、オーディオパケットデータはオーディオデコード部３０４へ転送し、副映像パケットデータはＳＰデコード部３０３へ転送し、また、ＮＶパックは、メインＭＰＵ部１０１が処理するため内部メモリ３０６ヘ保存し、いつでも、メインＭＰＵ部１０１がアクセス出来るようにする。
【００８９】
パケットデータの転送開始時に、ＤＴＳもしくはＰＴＳがＳＴＣ部１０９へロードされる。つまりＮＶパック内のＰＴＳをメインＭＰＵ部がＳＴＣへセットして、またはビデオデコーダ部３０２が自動的にビデオデータのＤＴＳもしくはＰＴＳをＳＴＣ部１０９へセットする。その後、各デコード部３０２，３０３，３０４はパケットデータ内のＰＴＳの値に同期して（ＰＴＳとＳＴＣの値を比較しながら）再生処理を行い、テレビジョン画像に音声字幕付きの動画を再生することができる。
【００９０】
次に、本発明の特徴である予約録画動作について説明する。
【００９１】
記録媒体（録再ＤＶＤ装置の場合にはＤＶＤディスク）にはディスク固有の予約に関する情報を記録可能である。まず、録画予約に関する情報については先に説明した通りである。
【００９２】
図１７、図１８のフローチャートを参照してあらかじめ録画予約情報が既に記録されたディスクを本装置にセットする場合の動作を説明する。
【００９３】
ディスクを挿入する（Ｓ１０１）。メインＭＰＵ部１０１が録画再生動作に必要なディスクの管理情報を読み込む（Ｓ１０２）。録画予約情報の専用／汎用を区別する情報を読み込み、判定を行う（Ｓ１０３）。専用／汎用の情報が書き込まれていないときは、この判定処理は省略される。
【００９４】
専用だったらステップＳ１１７へ移行し、専用である情報といっしょに記録されている専用録画予約情報番号に相当する録画予約情報を読み込み、メインＭＰＵ部１０１内部の予約録画制御部に設定すると共に、本予約情報がディスクに記録された情報によるものであるという情報を記憶する（Ｓ１１７）。その後、録画待機状態にする（Ｓ１１８）。
【００９５】
汎用だったらステップＳ１０４へ移行し、録画予約情報総数Ｎを読み込む（Ｓ１０４）。ここでＮ＝０の場合は、録画予約情報なしとして、ユーザー操作待ち待機状態にする（Ｓ１１９）。Ｎ＝０でない場合は、Ｎ個の予約情報を読み込み、録画開始年月日時刻の早い順に並び替え、並び替えた情報をメモリ等の記憶手段に記録する。以下は、録画開始年月日時刻の早い順に並び替えた予約情報に基づいて、処理を行う。
【００９６】
次に変数Ｉに１を代入する（Ｓ１０５）。次に装置の最大録画予約数を設定しきったか判定を行う（Ｓ１１１）。最大数を設定しきった場合は、ステップＳ１１６へ移行し、ディスクに記録された予約情報がまだ残っていることと、録画開始年月日時刻順に並び替えた順序でＩ番目をＭＰＵ部１０１が記憶する。その後ステップＳ１２０へ移行する。最大数に達しない場合は、Ｉ番目の予約情報を読み込む（Ｓ１０６）。
【００９７】
次に予約情報有効無効に関する情報を判定する（Ｓ１０７）。無効の場合はステップＳ１１４へ移行し、Ｉ≧Ｎかどうかを判定する（Ｓ１１４）。Ｉ≧Ｎの場合はＳ１２０へ移行し、Ｉ＜Ｎの場合はＩに１を加え（Ｓ１１５）、再度ステップＳ１１１へ移行する。予約情報が有効の場合は、ステップＳ１０８へ移行し、予約情報使用許可に関する情報を判定する（Ｓ１０８）。
【００９８】
予約情報の使用が不許可の場合は、ステップＳ１１４へ移行し、Ｉ≧Ｎかどうかを判定する（Ｓ１１４）。Ｉ≧Ｎの場合はＳ１２０へ移行し、Ｉ＜Ｎの場合はＩに１を加え（Ｓ１１５）、再度ステップＳ１１１へ移行する。
【００９９】
予約情報の使用が許可の場合は、ステップＳ１０９へ移行し、予約情報の有効期限を内蔵時計部の年月日・時刻と照合することで判定する（Ｓ１０９）。
【０１００】
有効期限が切れている場合は、ステップＳ１１４へ移行し、Ｉ≧Ｎかどうかを判定する（Ｓ１１４）。Ｉ≧Ｎの場合はＳ１２０へ移行し、Ｉ＜Ｎの場合はＩに１を加え（Ｓ１１５）、再度ステップＳ１１１へ移行する。
【０１０１】
有効期限内の場合は、ステップＳ１１０へ移行し、Ｉ番目の予約情報を予約制御部に設定すると同時に、本予約がディスクに記録された情報によるものであるという情報を記憶する（Ｓ１１０）。
【０１０２】
次に、Ｉ≧Ｎかどうかを判定する（Ｓ１１２）。Ｉ≧Ｎの場合はＳ１２０へ移行し、Ｉ＜Ｎの場合はＩに１を加え（Ｓ１１３）、再度ステップＳ１１１へ移行する。
【０１０３】
最後に、録画予約情報の設定があるかどうかを判定し（Ｓ１２０）、設定されていれば録画待機状態にし（Ｓ１１８）、ひとつも設定されていなければユーザー操作待ち待機状態にする（Ｓ１１９）。
【０１０４】
図１９、図２０のフローチャートを参照し、予約録画が１回終了したときの本装置の動作を説明する。趣旨は、予約設定枠が開いた場合に次の予約を行うためのものである。
【０１０５】
録画待機状態はで、１回の予約録画が終了するごとに処理を開始する（Ｓ２１０）。録画が終了した予約情報を確認し、例えば毎週等の繰り返しがなかったり、有効期限が切れたりして、今後の予約録画が無いことがはっきりしている場合には、予約録画制御部から本情報を削除する（Ｓ２０２）。次に装置の最大録画予約数を設定しきったか判定を行う（Ｓ２０３）。
【０１０６】
最大録画予約数を設定しきった場合は、ステップＳ２１３へ移行し、ディスクに記録された予約情報がまだ残っていることと、録画開始年月日時刻順に並び替えた順序でＩ番目をＭＰＵ部が記憶する。その後ステップＳ２１４へ移行する。
【０１０７】
最大数に達しない場合は、Ｉ番目の予約情報をディスクから読み込む（Ｓ２０４）。次に予約情報有効無効に関する情報を判定する（Ｓ２０５）。無効の場合は、ステップＳ２１１へ移行し、Ｉ≧Ｎかどうかを判定する（Ｓ２１１）。Ｉ≧Ｎの場合はステップＳ２１４へ移行し、Ｉ＜Ｎの場合はＩに１を加え（Ｓ２１２）、再度ステップＳ２０３へ移行する。
【０１０８】
有効の場合は、ステップＳ２０６へ移行し、予約情報使用許可に関する情報を判定する（Ｓ２０６）。使用不許可の場合は、ステップＳ２１１へ移行し、Ｉ≧Ｎかどうかを判定する（Ｓ２１１）。Ｉ≧Ｎの場合はステップＳ２１４ヘ移行し、Ｉ＜Ｎの場合はＩに１を加え（Ｓ２１２）、再度ステップＳ２０３へ移行する。使用許可の場合は、ステップＳ２０７へ移行し、予約情報の有効期限を内蔵時計部の年月日・時刻と照合することで判定する（Ｓ２０７）。
【０１０９】
有効期限が切れている場合は、ステップＳ２１１へ移行し、Ｉ≧Ｎかどうかを判定する（Ｓ２１１）。Ｉ≧Ｎの場合は、ステップＳ２１４へ移行し、Ｉ＜Ｎの場合はＩに１を加え（Ｓ２１２）、再度ステップＳ２０３へ移行する。  有効期限内の場合は、ステップＳ２０８へ移行し、Ｉ番目の予約情報を予約制御部に設定する、と同時に本予約がディスクに記録された情報によるものであるという情報を記憶する（Ｓ２０８）。次に、Ｉ≧Ｎかどうかを判定する（Ｓ２０９）。Ｉ≧Ｎの場合はステップＳ２１４へ移行し、Ｉ＜Ｎの場合はＩに１を加え（Ｓ２１０）、再度Ｓ２０３ステップへ移行する。
【０１１０】
最後に、予約情報の設定があるかどうかを判定し（Ｓ２１４）、設定されていれば録画待機状態にし（Ｓ２１５）、ひとつも設定されていなければユーザー操作待ち待機状態にする（Ｓ２１６）。
【０１１１】
図２１のフローチャートを参照し、ディスク取り出し時の制御動作を説明する。
【０１１２】
ディスク取り出し要求により、本装置はディスクを排出する処理を開始する（Ｓ３０１）。まず、予約録画制御部に記憶された予約情報と共に保持している「ディスクに記録された予約情報である」という情報を元に、該当する予約情報を前記予約録画制御部から削除する。また、記録媒体が専用ディスクだった場合は、ディスク挿入時にあらかじめバックアップした「ディスク挿入前の予約状態」に戻す（Ｓ３０２）。つまり装置自身に、以前から設定されていた録画予約情報を復帰させておくことになる。その後、ディスクを排出する（Ｓ３０３）。
【０１１３】
図２２のフローチャートを参照し、ディスク挿入時に録画予約設定を行う際に、ディスクの残容量を参照する動作を説明する。
【０１１４】
ディスクを挿入（Ｓ４０１）すると、前記録画予約情報の設定処理が行われる（Ｓ４０２）。次にディスクの残容量（Ａ）が調べられる（Ｓ４０３）。録画予約設定されたものの総録画時間と、録画モード（録画速度）から、必要な容量（Ｂ）を計算する（Ｓ４０４）。この計算は次のように実行される。
【０１１５】
（録画時間）×（録画モード）＝必要容量Ｂ。
【０１１６】
次にディスクの残容量Ａと録画に必要な容量Ｂを比較する（Ｓ４０５）。残容量が多ければ、録画待機状態に設定する（Ｓ４０６）。必要容量が多ければ、容量が足りない旨ディスプレイや音声にてユーザーに通知し、もしくは通知後にディスクを排出する（Ｓ４０７）。その後、ユーザー操作の待機状態に入る（Ｓ４０８）。図２２ではディスク挿入後の録画予約情報設定処理（Ｓ４０２）について記述したが録画予約動作が１回終わる毎に残量確認を行ってもよい。
【０１１７】
図２３、図２４のフローチャートを参照して、録画予約情報が重複した場合の動作を説明する。
【０１１８】
ディスクを挿入（Ｓ５０１）し、予約情報の設定処理を行う（Ｓ５０２）。ある予約情報が設定される際に、すでに設定されている予約情報と重複しないかが確認される（Ｓ５０３）。重複しない場合は、予約情報設定を行い（Ｓ５０４）、予約録画待機状態にする（Ｓ５１１）。しかし、重複する場合、装置の設定は、ディスク情報優先かユーザー設定優先かを判定する（Ｓ５０５）。ユーザー設定優先の場合、その旨ディスプレイや音声でユーザーに通知され、ユーザ情報優先にて設定が行われ（Ｓ５１０）、予約録画待機状態になる（Ｓ５１１）。ディスク情報優先の場合、その旨ディスプレイや音声でユーザーに通知され、ディスク情報優先になる（Ｓ５０６）。
【０１１９】
さらに装置の設定状態としては、前設定優先か、後設定優先かを判定する（Ｓ５０７）。前優先の場合、前の情報を優先し（Ｓ５０８）、後優先の場合、後の情報を優先して（Ｓ５０９）、予約設定を行い、録画待機状態にする（Ｓ５１１）。
【０１２０】
図２５のフローチャートを参照し、録画待機中のユーザー操作を説明する。
【０１２１】
予約した番組の録画待機状態（Ｓ６０１）においては、ユーザーによる録画待機状態の解除操作、新規録画予約設定操作、ユーザーの意志による録画操作があるかどうかの判定が行われる（Ｓ６０２）。操作が無い場合は、録画待機状態を維持する（Ｓ６０７）。
【０１２２】
上記の操作があった場合は、まず現在の状態が、ディスクに記録された予約情報を用いた予約設定が行われ、待機状態になっているのかどうか判定する（Ｓ６０３）。ディスク記録された予約情報を用いていなければ、ユーザー操作を受け付けそれぞれの処理を行う（Ｓ６０６）。
【０１２３】
ディスク記録された予約情報を用いて待機状態になっている場合は、操作が無効である旨ディスプレイや音声でユーザーに通知し、ユーザー操作を無効にする（Ｓ６０４）。その後、予約待機状態にする（Ｓ６０５）。
【０１２４】
図２６のフローチャートを参照して、予約情報の設定・変更動作を説明することにする。
【０１２５】
予約情報設定を行うためにディスクが挿入され、予約情報の設定が開始される（Ｓ７０１）。次にすでにディスクに予約情報が記録されているか判定する（Ｓ７０２）。記録されていない場合、ユーザーの意志（操作）による直前の録画動作情報を記憶しておく（Ｓ７０３）。記憶する録画動作情報の項目は、予約情報の項目と対応する項目である。
【０１２６】
ユーザーによるディスク予約情報設定の実行の操作が行われたか判定する（Ｓ７０４）。実行された場合、直前の操作時に記憶した前記録画動作情報を、ディスク予約情報のデフォルト値として設定し、さらに必要に応じてユーザーが設定内容を変更する（Ｓ７０５）。このようにすることで、ユーザは多くの項目を入力設定することなく、比較的容易に予約情報を設定することができる。
【０１２７】
次にユーザーの最終確認のもと、録画予約情報をディスクに書き込み、（Ｓ７０６）。ユーザー操作待機状態にする（Ｓ７１０）。実行操作が行われない場合は、ユーザー操作待機状態にする（Ｓ７１０）。
【０１２８】
予約情報が記録されている場合、すでに記録された予約情報の修正変更を行うかの判定をする（Ｓ７０７）。変更する場合、ユーザー操作によって内容を適宜変更し（Ｓ７０８）、ユーザーの最終確認のもと、予約情報をディスクに書き込み（Ｓ７０９）、ユーザー操作待機状態にする（Ｓ７１０）。ディスク記録の予約情報を変更しない場合は、前記通常の予約録画処理を行う（Ｓ７１１）。
【０１２９】
録画予約情報の形態としては、上記した実施の形態に限定されるものではなく、各種の実施の形態が可能であり、予約の項目としてはさらに増やしてもよく、また削減してもよい。また、ディスクへの予約情報の記録位置も各種の位置が可能である。
【０１３０】
図２７には別の実施の形態を示している。この実施の形態の予約情報は、次の項目から構成される。
【０１３１】
本記録媒体が特定の予約録画専用であるかどうかの情報４１１、専用である場合、その予約情報番号４１２。ディスクに記録された予約情報の数Ｎ。以下、Ｎ個の予約情報４１３。
【０１３２】
続いて、予約情報の内容を説明する。予約情報の内容は次のとおりである。
【０１３３】
・番組名・タイトル情報の長さ
・番組名・タイトル
・本予約情報の作成年月日・時刻
・本予約情報の有効無効情報
・本予約情報の使用許可情報
・録画モード（録画情報量）
・録画チャンネル情報
・作成年月日時刻からの録画有効有効週情報
・録画曜日（繰り返し）パターン情報
・予約録画年月日
・録画開始時刻
・録画終了時刻
・録画グループ番号
・録画プログラムチェーン番号
上記の番組名・タイトル情報の長さは、次項の長さを示す。番組名・タイトルは、予約録画する番組名・タイトルである。本予約情報の作成年月日・時刻は、この予約情報を登録した年月日・時刻であり、本予約情報の有効期間を定める起点となる。本予約情報の有効無効情報は、本予約情報が有効か無効かを示す。
【０１３４】
本予約情報の使用許可情報は、本予約情報が使用許可されているか、不許可かを示す。例えば、毎週日曜日に録画している番組が来週だけ中止になった場合に、一時的にユーザーが使用を不許可に設定し、予約情報を活かしたまま、録画を来週だけ休むことが可能になる。
【０１３５】
録画モード（録画情報量）は、ＶＴＲで言うところのテープ速度であり、例えば高画質・標準・長時間等に分けて、録画時のディスク使用容量を選択できる。録画チャンネル情報は、ＢＳ、ＣＳ、地上波、衛星デジタル等の放送の種類と、チャンネル番号を指定する。
【０１３６】
作成年月日時刻からの録画有効有効週情報は、本予約情報の有効期限を明確にするための情報で、作成年月日時刻を起点として以後何週間有効であるかを指定する。例えば、最近の連続ドラマは３ヶ月単位で放送されており、その場合本項目に「１２週」有効を設定することで、ドラマが終了した後の不要な録画を防ぐことができる。
【０１３７】
録画曜日（繰り返し）パターン情報には、予約情報の繰り返しパターンを設定する。パターン情報には、ディスクを挿入した年月日を起点として何週めから有効になるかを示す有効録画週と、日曜日から土曜日までの各録画フラグを用意し、その組み合わせにより毎週指定曜日の繰り返しパターンを自在に指定できる。毎日録画する場合には、日曜日から土曜日までの各録画フラグを「録画する」側に設定しても良いし、別途「毎日録画する」というフラグを用意しても良い。
【０１３８】
予約録画年月日は、録画を行う番組が単発の場合、あるいは連続ものでも１回だけ録画したいような場合に用いる項目で、録画を実施する年月日を指定する。本項目が指定された場合には、前記録画曜日パターンは無効となり、本予約年月日が優先される。本項目の有効無効を示すフラグを設けても良いし、年月日指定に存在しない年月日、例えば３年３３月３３日のような指定をしたときは無効にしてもよい。
【０１３９】
録画開始時刻は、本予約録画を開始する時刻である。録画終了時刻は、本予約録画を終了する時刻である。録画グループ番号は、ユーザーが設定するグループ番号であり、グループ番号が同一のものは前回の録画に続けて録画される（記録媒体上に物理的に連続して記録されるのではなく、続けであるという情報をつける）。例えば、１枚のディスクに月曜日のＡという連続ドラマと、水曜日のＢというドキュメンタリーを予約録画している場合、ＡとＢを別々のグループ番号にしておくと、Ａ１→Ａ２→Ａ３→Ａ４→Ａ５というプログラムチェーンと、Ｂ１→Ｂ２→Ｂ３→Ｂ４というプログラムチェーンに分けて管理され、後日再生を行うとＡを選択すればＡというドラマを連続して鑑賞できる。逆に、ＡもＢも同一グループ番号に指定すると、Ａ１→Ｂ１→Ａ２→Ｂ２→Ａ３というようにＶＴＲ用テープに記録されるのと同じ管理を行える。
【０１４０】
録画プログラムチェーン番号は、前記録画グループ番号によるグループ分けを本装置が行うためにつける内部的な通し番号である。前記の例で、ＡとＢを記録する前に、すでにＣという番組を録画していたとすると、前記グループ数は２でもディスク管理上は３つのシーケンスがあることになる。したがって、前記録画グループ番号と、録画プログラムシーケンス番号は１対１に対応している。
【０１４１】
ディスクへの予約情報の設定は、ディスクを本装置にセットした状態で行い、前記情報を適宜ユーザーが設定し、最終的にディスクに記録する手段を用いる。この記録手段は本装置が持っていてもよいし、前記記録媒体のデータを読み書き可能な別手段、例えば記録媒体用のリード／ライト装置を装備したパーソナルコンピュータ等、で記録してもよい。
【０１４２】
また、ディスクに記録された予約録画情報のコピーを行うことも可能である。元ディスクを挿入してコピー操作を実行すると、元ディスクに記録された予約録画情報を一旦メモリ等の記憶手段にバックアップし、次にコピー先ディスクに入れ替えてバックアップした情報を書き込めばよい。予約録画情報のセキュリティを考え、ディスクに記録するときには、記録を行う旨再確認する手段をとってもよい。
【０１４３】
図２８には、ユーザがディスプレイ部あるいは装置に組み込まれている表示器の画面を見ながら、予約情報を入力している過程の一例を示している。まず予約モードにすると、チャンネル入力を要求する画面５１１が現れる。放送形式やチャンネルを設定し、また録画モードを設定した後、「次ページ」をクリックあるいはキー操作すると、有効曜日、開始週、有効週を入力するための画面５１２が現れる。設定日は、この画面の入力が終わると自動的に時計情報が読み取られて入力される。日時を指定する場合には、画面５１２の「録画日時指定」という項目をクリックあるいはキー入力すると、右側の画面５１３が現れ、録画日を入力することができる。画面５１２，５１３のいずれの状態においても、必要な情報を入力した後、「次ページ」をクリックすると、画面５１４が現れる。この画面では、グループ番号を設定するかどうかを問い合わせる。「はい」をクリックあるいはキー操作すると画面５１５が現れて、グループ番号を入力することができる。この画面５１５の状態から「設定」をクリップあるいはキー操作すると画面５１６が現れて、各予約項目の内容が一覧として表示され確認を行うことができる。この画面５１６は、先の画面５１４の状態で「いいえ」をクリックあるいはキー操作しても現れる。
【０１４４】
項目内容の修正を行う場合には、「戻る」をクリックあるいはキー操作して次々と画面を前画面の状態に戻していき、必要な項目を修正することができる。
【０１４５】
また、他の予約情報等の様子を確認したい場合は、別途設けれている予約状況確認モードを設定することにより、ディスクに予約されている予約情報を再生して画面５１６のごとく表示して確認することができる。この場合、ディスプレイを用いた画面ではウインド表示を行うことが可能である。また予約情報の番号を指定することによりその予約情報の項目の内容を画面５１６のごとく表示して確認することができる。
【０１４６】
この場合、予約情報の画面５１６には、ディスクから再生された予約情報であるのか、またもともと再生装置自身に記録されている予約情報であるのかを識別できるように、その表示色を変えてもよく、さらには、ディスクや再生装置のマークを同時に表示して識別できるようにしてもよい。
【０１４７】
上記したようにこの発明によるディスク（記録媒体）によると、予め予約情報が記録されているディスクであれば再生装置に装填するだけで、予約設定を行う必要なく予約録画を行うことができる。
【０１４８】
また、番組の予約録画を行おうとする際に、録画予約設定を行う手間が省け、しかも１枚の特定ディスクに１種類の番組を続けて記録したい場合にもユーザーがディスクを管理しやすく、さらに毎回録画予約設定作業を行う必要がなくなり、予約録画を簡単に効率よく行うことが可能になる。
【０１４９】
またこの発明に係る再生装置によれば、ディスクに記録されている予約情報を読み取り、録画予約状態を自動設定することができる。
【図面の簡単な説明】
【０１５０】
【図１】この発明を用いた装置の全体構成ブロック図である。
【図２】この発明に係る記録媒体のデータ構造のフォーマットの例を示す図。
【図３】図２のプログラムチェーン情報テーブルの説明図。
【図４】図３のセル再生情報の説明図。
【図５】セルの配列例と、プログラムチェーン情報の説明図。
【図６】図２の記録制御情報の説明図。
【図７】図６の記録管理情報テーブルの説明図。
【図８】図７の記録予約情報の内容を示す図。
【図９】図８の情報情報作成年月日情報のデータ構造の例を示す図。
【図１０】図８の記録モード情報のデータ構造の例を示す図。
【図１１】図８のチャンネル番号情報のデータ構造の例を示す図。
【図１２】図８の記録曜日情報のデータ構造の例を示す図。
【図１３】図８の記録日付情報のデータ構造の例を示す図。
【図１４】図８の開始時刻終了時刻情報のデータ構造の例を示す図。
【図１５】記録予約情報の種類と実際の録画情報の配列例を示す説明図。
【図１６】別の記録予約情報の種類と実際の録画情報の配列例を示す説明図。
【図１７】本発明の装置におけるディスク挿入時の予約録画設定動作を説明するためのフローチャート。
【図１８】図１７の続きを示すフローチャート。
【図１９】本発明の装置において予約録画が終了した時の動作を説明するために示したフローチャート。
【図２０】図１９の続きを示すフローチャート。
【図２１】本発明の装置においてディスク取り出し時の動作を説明するために示したフローチャート。
【図２２】本発明の装置においてディスク残量確認時の動作を説明するために示したフローチャート。
【図２３】本発明の装置においてディスク予約録画情報重複時の動作を説明するために示したフローチャート。
【図２４】図２３の続きを示すフローチャート。
【図２５】本発明の装置において予約録画待機中のユーザー操作時の動作を説明するために示したフローチャート。
【図２６】本発明の装置において予約録画情報の設定・変更時の動作を説明するために示したフローチャート。
【図２７】この発明の他の予約情報のデータ構造を示す説明図。
【図２８】この発明の装置において、予約情報を入力するときの操作画面の例を示す説明図である。
【符号の説明】
【０１５１】
１００…光ディスク、１０１…メインＭＰＵ部、１０２…ディスクドライブ部、１０３…データ処理部、１０４…エンコード部、１０５…一時記憶部、１０６…デコード部、１０７…オーディオビデオ入力部、１０８…チューナ部、１０９…ＳＴＣ部、１１１…時計部、１１２…表示部、２０１…Ａ／Ｄ変換部、２０２…ビデオエンコード部、２０３…オーディオエンコード部、２０４…ＳＰエンコード部、２０５…フォーマッタ部、２０６…バッファメモリ、３０１…分離部、３０２…ビデオデコード部、３０３…ＳＰデコード部、３０４…オーディオエンコード部、３０５…ビデオ処理部、３０６、３０７…Ｄ／Ａ変換部、３０８…ディスプレイ部、３０９…オーディオ出力部。
【図１】
2005018982.tif 000003
【図２】
2005018982.tif 000004
【図３】
2005018982.tif 000005
【図４】
2005018982.tif 000006
【図５】
2005018982.tif 000007
【図６】
2005018982.tif 000008
【図７】
2005018982.tif 000009
【図８】
2005018982.tif 000010
【図９】
2005018982.tif 000011
【図１０】
2005018982.tif 000012
【図１１】
2005018982.tif 000013
【図１２】
2005018982.tif 000014
【図１３】
2005018982.tif 000015
【図１４】
2005018982.tif 000016
【図１５】
2005018982.tif 000017
【図１６】
2005018982.tif 000018
【図１７】
2005018982.tif 000019
【図１８】
2005018982.tif 000020
【図１９】
2005018982.tif 000021
【図２０】
2005018982.tif 000022
【図２１】
2005018982.tif 000023
【図２２】
2005018982.tif 000024
【図２３】
2005018982.tif 000025
【図２４】
2005018982.tif 000026
【図２５】
2005018982.tif 000027
【図２６】
2005018982.tif 000028
【図２７】
2005018982.tif 000029
【図２８】
2005018982.tif 000030